(57)【特許請求の範囲】
【請求項１】
ベースと、このベース上に設けられるとともに、書類の綴じ穴に挿入されて当該書類の綴じ込みを行う綴じ足とを備えた綴じ具において、
前記綴じ足は、先端が相互に突き合されて常時はベースと共に閉ループを形成する第１及び第２の綴じ足形成体により構成され、これら第１及び第２の綴じ足形成体の何れか一方が屈曲可能に設けられ、前記閉ループを形成した姿勢で外力を付与したときに屈曲して書類の綴じ込み空間を形成し、
前記第１及び第２の綴じ足形成体の各先端面は、それぞれ傾斜面とされ、前記閉ループが形成されたときに、各傾斜面は、ぴったりと密着するように保たれることを特徴とする綴じ具。
【請求項２】
前記屈曲可能な綴じ足形成体は、前記ベース上に起立する基部と、この基部の先端側に設けられるとともに常時は前記閉ループ位置に保たれる変位部とからなり、この変位部に外力が加えられることによって前記綴じ込み空間を形成することを特徴とする請求項１記載の綴じ具。
【請求項３】
前記基部と変位部との間には付勢手段が設けられ、この付勢手段によって前記変位部が閉ループ位置に保たれることを特徴とする請求項２記載の綴じ具。
【請求項４】
前記基部と変位部との連結領域には相互に連なる中空部が形成され、この中空部内にばねを配置することにより前記変位部が閉ループ位置に保たれることを特徴とする請求項２記載の綴じ具。
【発明の詳細な説明】
【０００１】
【発明の属する技術分野】
本発明は綴じ具に係り、更に詳しくは、閉ループ状態となっている綴じ足を開放するための特別な操作をすることなく、書類の端縁を綴じ足に突き当てる外力を利用して簡易に書類を綴じ込むことのできる綴じ具に関する。
【０００２】
【従来の技術】
従来より、各種ファイル、バインダーは、表紙体の内面側に綴じ具が固定されている。この綴じ具は、綴じ足を書類の綴じ穴に挿入することによって当該書類を綴じ込み可能とされている。一般的な綴じ具は、表紙体の内面側に固定される長片状のベースと、このベースの短寸幅方向両側に配置されるとともに、相互に先端側が突き合せ可能に設けられた一対の綴じ足形成体からなる綴じ足とを備えており、前記綴じ足形成体の先端側を離間させることによって書類の綴じ込み空間が形成可能となっている。
【０００３】
【発明が解決しようとする課題】
しかしながら、従来の綴じ具は、一対の綴じ足形成体を摘んでそれらの突き合せ端部間を離間させることで綴じ込み空間を形成したり、ベース内に設けられたスライダをスライド操作して突き合せ端部間を離間させる作業若しくは操作が通常必要となる。
【０００４】
【発明の目的】
ここに、本発明の目的は、必要に応じて、前述の作業若しくは操作を行うことなく書類の端縁を綴じ足形成体に突き当てる外力をもって綴じ込み空間を形成することのできる綴じ具を提供することにある。
【０００５】
【課題を解決するための手段】
前記目的を達成するため、本発明は、ベースと、このベース上に設けられるとともに、書類の綴じ穴に挿入されて当該書類の綴じ込みを行う綴じ足とを備えた綴じ具において、
前記綴じ足は、先端が相互に突き合されて常時はベースと共に閉ループを形成する第１及び第２の綴じ足形成体により構成され、これら第１及び第２の綴じ足形成体の何れか一方が屈曲可能に設けられ、前記閉ループを形成した姿勢で外力を付与したときに屈曲して書類の綴じ込み空間を形成し、
前記第１及び第２の綴じ足形成体の各先端面は、それぞれ傾斜面とされ、前記閉ループが形成されたときに、各傾斜面は、ぴったりと密着するように保たれる、という構成を採っている。このような構成とすれば、書類の端縁を綴じ足形成体に突き当てて屈曲可能に設けられた綴じ足形成体に外力を付与することができ、これによって当該綴じ足形成体が屈曲して他方の綴じ足形成体との突き合せ端部間に綴じ込み空間を形成することとなる。そして、この状態で、書類の綴じ穴に綴じ足形成体が通過するように書類を移動させることで、書類の綴じ込みを行うことができる。従って、従来タイプの綴じ具に要求されていた書類の綴じ込み空間を形成する特別な操作を全く行うことなく迅速に綴じ込みを行うことが可能となる。なお、第１及び第２の綴じ足形成体は、それらの一方が屈曲可能に設けられていればよい。
【０００６】
【発明の実施の形態】
本発明において、前記屈曲可能な綴じ足形成体は、前記ベース上に起立する基部と、この基部の先端側に設けられるとともに常時は前記閉ループ位置に保たれる変位部とからなり、この変位部に外力が加えられることによって前記綴じ込み空間を形成する、という構成が採用されている。このような構成とすれば、綴じ足形成体の既存形状に関節機能を持たせることによって屈曲動作を可能とすることができる。この際、前記基部と変位部との間には付勢手段が設けられ、この付勢手段によって前記変位部が閉ループ位置に保たれるように設けるとよい。
【０００７】
また、前記基部と変位部との連結領域には相互に連なる中空部が形成され、この中空部内にばねを配置することにより前記変位部が閉ループ位置に保たれるように設けることもできる。これにより、ばねの存在が外側から見えないようになり、外観上の体裁を良好に保つことができる。
【０００８】
【実施例】
以下、本発明の実施例を図面を参照しながら説明する。
【０００９】
図１には、本実施例に係る綴じ具の概略斜視図が示されている。この図において、綴じ具１０は、所定の表紙体の内面側に固定されるベース１１と、このベース１１上に設けられた二組の綴じ足１２とを備えて構成されている。ベース１１は、表紙体の内面上に位置する平面視略小判形の板状部１３と、この板状部１３の短寸幅方向の両端部に連なって板状部１３の上面に位置する一対の可動片部１４，１５とを備えて構成されている。ここで、可動片部１４，１５は、それらの内方端１４Ａ，１５Ａの中央部位置が凹状に切り欠かれた形状とされ、その切り欠きによって形成された領域内に位置するプッシュボタン１６を押圧操作することにより、図２に示されるように、各内方端１４Ａ，１５Ａ側が上方に回転可能に設けられている。なお、プッシュボタン１６による綴じ足１２の開放動作は、本発明の要旨ではないので、ここでは、詳細な図示説明を省略する。
【００１０】
前記綴じ足１２は、図４ないし図６に示されるように、一方の可動片部１４の長手方向（図４中紙面直交方向）二箇所位置から起立する軸状の第１の綴じ足形成体２０と、この第１の綴じ足形成体２０に対応して他方の可動片部１５から起立する軸状の第２の綴じ足形成体２１とを備えて構成されている。第１の綴じ足形成体２０は、上端側が第２の綴じ足形成体２１に向かって僅かに湾曲した位置を終端とする長さに設けられている。この一方、第２の綴じ足形成体２１は、前記第１の綴じ足形成体２０の長さよりも短い長さとなる基部２３と、この基部２３の先端側すなわち上端側に連結されて前記第１の綴じ足形成体２０の先端に突き合されるように湾曲した変位部２４とにより構成されている。
【００１１】
前記基部２３の上端側は、図６に示されるように、左右両側に連結片２５を備えており、これらの連結片２５間に凹部２６が形成され、この凹部２６の底面より若干下方に向かって中空部２７（図４及び図５参照）が形成されている。
【００１２】
この一方、変位部２４の下端側は、前記凹部２６内に位置する連結片３０が形成されており、この連結片３０が凹部２６内に位置した状態で、ピン３２が各連結片２５，３０に挿入され、これにより、変位部２４が基部２３に対して屈曲可能に連結されている。また、変位部２４における連結片３０の基端（図５中上端）側には、前述した基部２３側の中空部２７に連なる中空部３５が形成されている。そして、前記ピン３２の外周に支持されたばね３６の各端部側が、各中空部２７，３５に延びるように配置されている。ここで、第１の綴じ足形成体２０及び変位部２４の各先端面は、図４に示されるように、それぞれ傾斜面２０Ａ，２４Ａとされており、これらの傾斜面２０Ａ，２４Ａは、前記ばね３６の付勢力によって常にぴったりと密着するように保たれ、これにより、ベース１１と綴じ足１２とによって常時は閉ループが形成されるようになっている。
【００１３】
以上の構成において、書類Ｐ（図３参照）を綴じ込むときは、図２に示されるように、プッシュボタン１６を押圧操作して通常の綴じ具に見られるのと同様の綴じ込み空間を形成することができる。そして、このような操作を行うことなく簡易に綴じ込みたい場合には、図３に示されるように、書類Ｐの端縁Ｐ１を変位部２４に対して上方より下向きに突き当てればよい。これにより、変位部２４がばね３６の付勢力に抗して基部２３の先端側位置で屈曲することとなる。そして、書類Ｐに形成された綴じ穴Ｐ２に第１の綴じ足形成体２０に挿入させることで、変位部２４が初期姿勢の閉ループ形成位置に戻って綴じ込みを完了することができる。
【００１４】
従って、このような実施例によれば、綴じ足１２を開放動作させるための特別な操作を行うことなく、書類の突き当て力を利用した外力で書類の綴じ込みが行えるようになり、非常に簡易且つ迅速に綴じ込みを行えるという効果を得る。
【００１５】
なお、前記実施例では、ばね３６の両端の突っ張りによって変位部２４が閉ループを形成する位置に付勢する構成を採用したが、本発明はこれに限定されるものではなく、基部２３の全体が中空の筒状となるように形成し、ベース１１の裏面側と変位部２４との間に引っ張りコイルばねを介装する構成等に代替することができる。要するに、本発明は、変位部２４が常に閉ループを形成する初期姿勢に復帰可能な構造であれば足りる。従って、ばね３６を用いずに、屈曲動作を許容する一方で初期姿勢への復帰動作を可能ならしめる弾性を利用した一本の綴じ足形成体２１を採用することもできる。
【００１６】
【発明の効果】
以上説明したように、本発明によれば、第１及び第２の綴じ足形成体の何れか一方が屈曲可能に設けられ、前記閉ループを形成した姿勢で外力を付与したときに屈曲して書類の綴じ込み空間を形成する構成としたから、書類の端縁を綴じ足形成体に突き当てることで屈曲可能に設けられた綴じ足形成体に外力が付与され、これによって当該綴じ足形成体が屈曲して他方の綴じ足形成体との突き合せ端部間に空間を形成することができる。従って、書類の綴じ穴に綴じ足形成体が通過するように書類を移動させることで、書類の綴じ込み空間を形成する特別な操作を全く行うことなく綴じ込みを行うことができる。
【００１７】
また、前記基部の先端側に変位部を設けて屈曲可能となる綴じ足形成体を構成したから、当該綴じ足形成体の既存形状に関節機能を持たせるだけで屈曲動作を可能とすることができる。しかも、付勢手段を用いて変位部が閉ループ位置に保たれるように設定されいているため、付勢手段の付勢力を適性に設定することで、意図しない屈曲動作を回避して書類の脱落も防止することができる。
【００１８】
また、前記基部と変位部との連結領域に設けた中空部内にばねを配置することにより、前記変位部が閉ループ位置に保たれる構成であるため、当該ばねの存在が外側から見えるようなことがなくなり、外観上の体裁を良好に保つことができる。
【図面の簡単な説明】
【図１】実施例に係る綴じ具が綴じ込み状態にある概略斜視図。
【図２】綴じ足が開いた状態を示す概略斜視図。
【図３】綴じ足形成体の変位部が屈曲動作した状態を示す概略斜視図。
【図４】綴じ足の一部断面側面図。
【図５】図４の要部拡大断面図。
【図６】図４の右側面図。
【符号の説明】
１０  綴じ具
１１  ベース
１２  綴じ足
２０  第１の綴じ足形成体
２１  第２の綴じ足形成体
２３  基部
２４  変位部
２７  中空部
３５  中空部
３６  ばね(付勢手段)
Ｐ  書類
Ｐ２  綴じ穴
【図１】
0003650824.tif 000002
【図２】
0003650824.tif 000003
【図３】
0003650824.tif 000004
【図４】
0003650824.tif 000005
【図５】
0003650824.tif 000006
【図６】
0003650824.tif 000007